(57)【要約】      （修正有）【課題】あらかじめ設定した目標に向かって、パーターを使ってホールまでの距離間を正確に、打撃できるゴルフボールを提供する。【解決手段】ゴルフボールは、ボール本体の表面に２，３，４，５を正面と、その背面に２，３，４，５と２カ所に表示部が配置されて、ボールの平面に３，４，５，６と表示部が配置され、ゴルフボール表面に合計３カ所に表示部が設けられている。【選択図】図１
0003151812.tif 000002
【実用新案登録請求の範囲】
【請求項１】
ボール本体の表面に、片側矢示部を先端に有し、且つ後端に丸、四角などの表示部を有する直線表示部を付したことを特徴としたゴルフボール。
【請求項２】
前記直線表示部は、中間に丸、四角等の、中間表示部を設けたことを特徴とした請求項１に記載したゴルフボール。
【請求項３】
前記直線表示部は、正面と背面の先端に矢印、後端に丸印、中間に丸、四角等の表示部を付したことを特徴とした請求項１に記載のゴルフボール。
【請求項４】
前記直線表示部は平面の先端に矢印、後端に丸印表示部を付したことを特徴とした請求項１に記載のゴルフボール。
【考案の詳細な説明】
【技術分野】
【０００１】  本考案はゴルフボールの表面の直線表示部に、上り傾斜の矢印表示部と、下り傾斜丸印表示部と、直線表示部の中間に、丸、四角等の中間表示部を直線の右側と、左側に設け、先端の矢印と後端の丸印と、中間の四角を組み合わせ目標に向け、表示部を所定に配置されることで正しく正確に打撃するための目安とする。
【背景技術】
【０００２】  グリーン上では目標とゴルフボールを結ぶ仮想線に対して、体の向きがスクエア（平行）となるように構えてボールを打つことが基本とされている。
そのゴルフボールに直線などの種々のライン、マークが記入されている。
目標に向けて置くと、容易に打撃ができる。【０００３】  ボールに打撃方向の目安となるマークを記入したゴルフボールが種々提案されている。特許文献１には打撃方向に触覚方向の直線と、特許文献２には、ボール表面に沿って縦横に直角に交差上表示部と、これらのゴルフボールを利用することによって、パッティング時、容易に直線方向は可能となる。【０００４】  又、特許文献３も記載されている輪郭線と、直線と、合わせてセットアップを行いこれより打ち出し方向に狂いが容易で、確率が向上すると知られている。
【先行技術文献】
【特許文献１】実開平５−１８５５４
【特許文献２】実開平７−３１０７１
【特許文献３】実開平９−３１３６４４
【０００５】  しかしながら特許文献１は、目標方向に向かって直線での打撃は、複雑な傾斜のラインに対して難しく、特許文献２及び特許文献３のボール表面の表示が目標にパーターフェイスが直角にして打ち出すラインに良いが、距離間を出すための強弱の打撃についての考案はされていない。
【考案の概要】
【考案が解決しようとする課題】
【０００６】  本考案は上記技術の問題に鑑みてなされたものであって、グリーン上での上り、下り傾斜での、左曲がり、右曲がりの目標ラインを強く打つ、通常通り打つ、弱く打つ、パッティングの距離間を容易にホールに最接近する。
【課題を解決する手段】
【０００７】  本考案は、ボール本体の表面に、片側矢示部を先端に有し、且つ後端に丸、四角などの表示部を有する直線表示部を付したことを特徴としたものである。
【０００８】  又、本考案は、前記直線表示部は、中間に丸、四角等の、中間表示部を設けたことを特徴としたものである。
【０００９】  更に本考案は、前記直線表示部は、正面と背面の先端に矢印、後端に丸印、中間に丸、四角等の表示部を付したことを特徴としたものである。
【００１０】  更に本考案は、前記直線表示部は、正面と背面の先端に矢印、後端に丸印、中間に丸、四角等の表示部を付したことを特徴としたものである。
【考案の効果】
【００１１】  請求項１の考案は、ゴルフボール本体の表面に片側矢印部の先端を、上り傾斜表示部と、丸、四角等の表示部を後端を下り傾斜表示部と有する直線表示部をアドレス時などに打撃方向を示す目標の方向に向いて、ラインが上り傾斜と下り傾斜と載置するゴルフボールを目標ラインに向け表示部を上にして、目視により考慮をはらい、上り傾斜は通常の打撃より強く打ち出しが距離間を容易にホールに最接近する。
【００１２】  又、ラインが下りの傾斜表示部と、載置するゴルフボールを目標ラインに向け表示部を上にして、目視により考慮をはらい、下り傾斜は通常の打撃より弱いうち打ち出しが距離間を容易にホールに最接近する。
【００１３】  請求項２の考案は、ゴルフボール本体表面に、直線表示部の中間に丸、四角等の中間表示部を方向指示表示部とし、直線の右側に丸、四角等を設けた方向指示表示部は右曲がりを表示し、ゴルフボールを目標ラインに向け表示部を上にして、目視により考慮をはらい、右に曲がる方向性を高め正確な打撃が容易にホールに最接近する。
【００１４】  又、直線の左側に、丸、四角等を設けた方向指示表示部は、ゴルフボールを目標ラインに向け表示部を上にして載置する。プレイヤーは目視により考慮をはらい、左に曲がる方向性を高め、正確な打撃が容易にホールに最接近する。
【００１５】  請求項３の考案は打撃の目標に向いてゴルフボールを正面に載置した直線表示部の先端に矢印、上り傾斜表示部を、後端に丸印、下り傾斜表示部と中間に直線表示部の上りから右側に丸、四角等の表示部を設けられてボール表面の表示部の１カ所目に有していることが特徴で、打撃が容易である。
【００１６】  又、打撃の目標に向いてゴルフボールを背面に載置した直線表示部の先端上り傾斜表示部を後端に丸印、下り傾斜表示部と、中間に直線の左側に丸、四角等の表示部を付した、ボール表面の表示部２カ所目に有していることが特徴で打撃が容易である。
【００１７】  請求項４の考案はゴルフボールを目標に向け平面に載置した直線表示部の先端に矢印、上り傾斜表示部を後端に丸印、下り傾斜表示部を付した、ボール表面の表示部３カ所目に有していることが特徴で打撃が容易である。
【図面の簡単な説明】
【００１８】
【図１】    実施例のゴルフボールを前方から見た斜視図である。
【図２】    実施例のゴルフボールの正面図である。
【図３】    実施例のゴルフボールの背面図である。
【図４】    実施例のゴルフボールは図２の反対面の図である。
【図５】    実施例のゴルフボールは図３の反対面の図である。
【図６】    実施例のゴルフボールの平面図である。
【考案を実施するための最良の形態】
【実施例】
【００１９】  以下、本考案のゴルフボールの実施例を図面を参照しつつ詳細に説明する。【００２０】  図１は実施例のゴルフボールを前方から見た傾斜図であり、図２は正面と、図３は背面と、又、図４は図２の反対面である。又、図５は図３の反対面である。又、図６は平面であり、グリーン上での打撃方向Ｆに向けて使用するゴルフボールの図面である。【００２１】  本考案の実施例はプレイヤーが右利きを想定した使用状態を設定する。【００２２】  図２においてゴルフボールが使用状態の打撃方向Ｆに向け、上り傾斜表示部３と、目標方向表示部４と、曲がる方向指示表示部２と、ボールを載置したラインは上りのスライス、上り傾斜は通常の打撃よき強く打ち出す必要性をプレイヤーは目視により正確にホールまでの距離間が容易に打ち出せる。【００２３】    又、図３は上りのフック、目標に載置したボールの上の表示を目視によりプレイヤーは正確に強く打ちホールまでの距離間を容易にできる。【００２４】  図４においてゴルフボールが使用状態の打撃方向Ｆに向け、下り傾斜表示部５と、目標歩行表示部４と、曲がる方向表示部２とボールを載置したラインは下りのフック、下りの傾斜は通常の打撃より弱く打ち出す必要性をプレイヤーは目視により正確にホールまでの距離間を容易に打ち出せる。【００２５】  又、図５は下りのスライス、目標に載置したボールの上の表示を目視によりプレイヤーは正確に弱く打ちホールまでの距離間を容易に出来る。【００２６】  図６において、ゴルフボールが使用状態の打撃方向Ｆに向け、上り傾斜表示部３と目標方向表示部４と、ボールが載置したラインは上りのストレート、上り傾斜は通常の打撃より強く打ち出す必要性をプレイヤーは目視により正確にホールまでの距離間を容易に打ち出せる。【００２７】又、図６はゴルフボールを反転し、使用状態の打撃方向Ｆに向け、下り傾斜表示部５と、目標方向表示部４と、ボールが載置したラインは下りのストレート、プレイヤーは特に難しいパッティングを正確に弱く打ち、ホールまでの距離間を容易に出来る。
【符号の説明】１  ゴルフボール
２  曲がる方向指示表示部
３  上り傾斜表示部
４  目標方向表示部
５  下り傾斜表示部
６  商標
Ｆ  打撃方向
【図１】
0003151812.tif 000003
【図２】
0003151812.tif 000004
【図３】
0003151812.tif 000005
【図４】
0003151812.tif 000006
【図５】
0003151812.tif 000007
【図６】
0003151812.tif 000008